(57)【要約】【課題】遊技機を誤作動させる不正電波と、タクシー無線や携帯電話等のその他の電波と、を区別して電波を検出できる実用性が高い遊技機の不正電波検出装置を提供する。【解決手段】アンテナ１２と、電波に対応してハイレベル部分とローレベル部分を含む信号を出力する検波回路１４と、検波回路１４からの出力信号と判定条件に応じて不正電波か否かを判定する判定手段１６と、を備え、判定手段１６は、時間を計測する計時部と、検波回路からの出力信号のハイレベル部分とローレベル部分とが交互に繰り返される数を計測する周波数計測部２４と、周波数計測部で計測した繰り返し数と基準値とを比較し、該繰り返し数Ｎが基準値以上の場合に不正電波として判定する比較判定部２６と、を有する遊技機の不正電波検出装置１０から構成される。【選択図】図１
2014012056.tif 000002
【特許請求の範囲】
【請求項１】
電波を受けるアンテナと、
アンテナで受ける電波に対応してハイレベル部分とローレベル部分を含む信号を出力する検波回路と、
検波回路からの出力信号を受け、その信号と予め設定された判定条件に応じて不正電波か否かを判定する判定手段と、を備え、
判定手段は、検波回路からの出力信号についてハイレベル部分とローレベル部分とが交互に繰り返される時間を計測する計時部と、
検波回路からの出力信号のハイレベル部分とローレベル部分とが交互に繰り返される数を計測する周波数計測部と、
周波数計測部で計測した検波回路からの出力信号のハイレベル部分とローレベル部分とが交互に繰り返される数と基準値とを比較し、該ハイレベル部分とローレベル部分とが交互に繰り返される数が基準値以上の場合に不正電波として判定する比較判定部と、を有することを特徴とする遊技機の不正電波検出装置。
【請求項２】
計時部は、少なくとも検波回路からの出力信号のハイレベル部分の時間幅又はローレベル部分の時間幅を測定し、
比較判定部は、計時部で測定した時間幅と所定の設定範囲とを比較し、該時間幅が設定範囲内で、かつ前記ハイレベル部分とローレベル部分とが交互に繰り返される数が基準値以上の場合に不正電波として判定することを特徴とする請求項１記載の遊技機の不正電波検出装置。
【請求項３】
判定手段によって不正電波と判定された際に外部に知らせるための報知手段を有する請求項１又は２記載の遊技機の不正電波検出装置。
【発明の詳細な説明】
【技術分野】
【０００１】
本発明は、遊技機を不正に操作する不正電波を検出して不正操作を防止する不正電波検出装置に関する。
【背景技術】
【０００２】
パチンコ玉遊技機では球の通過を感知して入賞を検知する入賞センサ、出玉数をカウントする出球センサ等の様々なセンサが利用されている。これらのセンサは金属製の球がセンサを通過する際の磁気の変化等を感知して作動するものが多く使用されているが、不正な電波射出機で特定の周波数の電波を遊技機に向けて射出することにより遊技機の入賞センサや出玉センサ等を誤作動させて、出球を稼ぐ悪質な不正者、いわゆるゴト師の存在が問題となっている。ゴト師による不正行為は遊技場の経営に大きな打撃を与えることから、不正行為対策に関する技術が種々提案されている。例えば、特許文献１には、遊技機に対する不正操作防止装置が提案されており、磁石や不正電波によって遊技機に対する不正操作が行われた際に、回路で検波し、磁力の変化等により生じる誘起電圧が、基準電圧より小さいときにはオフのままであり、基準電圧以上となった場合に通報する技術が開示されている。
【先行技術文献】
【特許文献】
【０００３】
【特許文献１】特開２００２−１８６７６６号公報
【発明の概要】
【発明が解決しようとする課題】
【０００４】
しかしながら、従来の遊技機の不正操作防止装置では、不正電波を検出する際には、不正電波によって生じる誘起電圧が基準電圧より大きいか小さいか、すなわち、電波の有無のみで判定する構成であるから、例えば、タクシーやトラックの無線、携帯電話の遊技機に対する不正電波ではない日常生活や経済活動で生じる電波、あるいは雷等の自然現象で生じる電波等をも区別なく検出してしまい、不正電波のみを確実に検出することができず実用に乏しい問題があった。
【０００５】
本発明は上記従来の課題に鑑みてなされたものであり、その一つの目的は、遊技機を誤作動させる不正電波と、タクシー無線や携帯電話等のその他の電波と、を区別して電波を検出できる実用性が高い遊技機の不正電波検出装置を提供することにある。
【課題を解決するための手段】
【０００６】
上記課題を解決するために本発明は、電波を受けるアンテナ１２と、アンテナ１２で受ける電波に対応してハイレベル部分ＨＬとローレベル部分ＬＬを含む信号を出力する検波回路１４と、検波回路１４からの出力信号ＳＧを受け、その信号ＳＧと予め設定された判定条件に応じて不正電波か否かを判定する判定手段１６と、を備え、判定手段１６は、検波回路１４からの出力信号ＳＧについてハイレベル部分ＨＬとローレベル部分ＬＬとが交互に繰り返される時間を計測する計時部と、検波回路からの出力信号のハイレベル部分とローレベル部分とが交互に繰り返される数Ｎを計測する周波数計測部２４と、周波数計測部２４で計測した検波回路１４からの出力信号のハイレベル部分とローレベル部分とが交互に繰り返される数Ｎと基準値とを比較し、該ハイレベル部分とローレベル部分とが交互に繰り返される数Ｎが基準値以上の場合に不正電波として判定する比較判定部２６と、を有することを特徴とする遊技機の不正電波検出装置１０から構成される。判定条件は、複数種類の不正電波に対応するように設定するとよい。
【０００７】
また、計時部２２は、少なくとも検波回路１４からの出力信号ＳＧのハイレベル部分の時間幅Ｔ１又はローレベル部分の時間幅Ｔ１を測定し、比較判定部２２は、計時部で測定した時間幅Ｔ１、Ｔ２と所定の設定範囲とを比較し、該時間幅Ｔ１、Ｔ２が設定範囲内で、かつ前記ハイレベル部分ＨＬとローレベル部分ＬＬとが交互に繰り返される数Ｎが基準値以上の場合に不正電波として判定することとしてもよい。
【０００８】
また、判定手段１６によって不正電波と判定された際に外部に知らせるための報知手段３８を有することとしてもよい。
【発明の効果】
【０００９】
本発明の遊技機の不正電波検出装置によれば、電波を受けるアンテナと、アンテナで受ける電波に対応してハイレベル部分とローレベル部分を含む信号を出力する検波回路と、検波回路からの出力信号を受け、その信号と予め設定された判定条件に応じて不正電波か否かを判定する判定手段と、を備え、判定手段は、検波回路からの出力信号についてハイレベル部分とローレベル部分とが交互に繰り返される時間を計測する計時部と、検波回路からの出力信号のハイレベル部分とローレベル部分とが交互に繰り返される数を計測する周波数計測部と、周波数計測部で計測した検波回路からの出力信号のハイレベル部分とローレベル部分とが交互に繰り返される数と基準値とを比較し、該ハイレベル部分とローレベル部分とが交互に繰り返される数が基準値以上の場合に不正電波として判定する比較判定部と、を有することから、遊技機に対する不正電波に特有のパターンを利用して、不正電波と、例えばタクシーやトラックの無線、携帯電話、モータのノイズ、雷等のその他の電波と、を区別して不正電波のみを確実に検出することができ、不正行為防止の実用性を向上できる。さらに、１台の不正電波検出装置だけで、複数種類の不正電波に対応して検出することができる。また、設計が簡単で低コストで製造できるとともに、高い検出精度を期待できる。
【００１０】
また、計時部は、少なくとも検波回路からの出力信号のハイレベル部分の時間幅又はローレベル部分の時間幅を測定し、比較判定部は、計時部で測定した時間幅と所定の設定範囲とを比較し、該時間幅が設定範囲内で、かつ前記ハイレベル部分とローレベル部分とが交互に繰り返される数が基準値以上の場合に不正電波として判定する構成とすることにより、不正電波とタクシー無線や携帯電話等のその他の電波とを、より確実に区別して不正電波のみを検出することができ、不正電波の検出精度を向上できる。
【００１１】
また、判定手段によって不正電波と判定された際に外部に知らせるための報知手段を有する構成とすることにより、不正電波を検出した際に従業員等に報知して不正行為に対する対処を早期に行うことができる。
【図面の簡単な説明】
【００１２】
【図１】本発明の一実施形態に係る遊技機の不正電波検出装置のブロック図である。
【図２】図１の遊技機の不正電波検出装置の判定手段のブロック図である。
【図３】図１の遊技機の不正電波検出装置が取り付けられる遊技機の概略説明図である。
【図４】遊技機に対する不正電波の一例である。
【図５】判定手段の判定条件の一例である。
【図６】図１の遊技機の不正電波検出装置の作用を示すフローチャートである。
【発明を実施するための形態】
【００１３】
以下添付図面を参照しつつ本発明の遊技機の不正電波検出装置の実施形態について説明する。本発明に係る遊技機の不正電波検出装置は、例えば、パチンコ玉遊技機や回胴式遊技機等の遊技機内のセンサを故意に誤作動させて不正に出玉を獲得するような不正な電波を検出するために、遊技機に取り付けられるものである。本実施形態において、遊技機の不正電波検出装置１０は、図１に示すように、アンテナ１２と、検波回路１４と、判定手段１６と、を備えている。図３に示すように、本実施形態では、遊技機の不正電波検出装置１０は、例えば、パチンコ遊技機１００の本体内部の払い出し部１０２近傍に設置され、遊技機１００の電源又はバッテリーで電源供給されて作動する。
【００１４】
アンテナ１２は、種々の周波数の電波を受ける部分であり、検波回路１４に電気的に接続されている。本実施形態では、例えば、低周波数領域の電波に対応した第１アンテナ１２１と、高周波領域の電波に対応した第２アンテナ１２２と、の２つのアンテナを有している。第１アンテナ１２１は、例えば、コイルアンテナからなり２ＭＨｚ〜３００ＭＨｚ程度の帯域の電波を検知する。第２アンテナは、例えば、ループアンテナからなり２００ＭＨｚ〜９００ＭＨｚ程度の帯域の電波を検知する。複数のアンテナを接続した構成であるから、広い範囲の周波数に対応して検出することができる。よって、１台の不正電波検出装置で、種々の遊技機に対してゴト師等の不正者が使用する様々な種類の周波数の不正電波の不正電波発生器にも対応して検出することができる。なお、アンテナの数や対応する周波数の態様などは、不正電波に対応して自由に設計してもよい。
【００１５】
検波回路１４は、アンテナ１２で受けた電波を後述の判定手段１６で判定するために所定の検波信号に変換して出力するための検波手段である。検波回路１４は、例えば、ダイオード、コンデンサ、抵抗等を含む電子回路素子を組み合わせ設けられており、アンテナ１２１、１２２で受けた電波の磁場変化による誘導起電圧を取り出し整流、変換等して検波信号を生成する。検波回路１４は、例えば、アンテナ１２が電波を受けたときには、ハイレベル信号を出力し、電波を受けていないときにはローレベル信号を出力する。本実施形態では、図４に示すように、判定手段１６の閾値比較部２１で検波信号の出力レベルを上下２つの閾値ＵＴ、ＬＴで比較しており、上閾値ＵＴよりも大きいレベル部分を検波信号ＳＧのハイレベル部分ＨＬとし、下閾値ＬＴよりも小さいレベル部分を検波信号ＳＧのローレベル部分ＬＬとしている。検波回路１４には増幅回路１８が電気的に接続されており、検波回路１４から出力される検波信号ＳＧは増幅されて判定手段１６に出力される。なお、検波回路１４は、例えば、上記とは逆に、電波を受けたときにローレベルとなり、電波を受けないときにハイレベルとなる検波信号を出力する回路であってもよい。
【００１６】
判定手段１６は、検波回路１４から増幅回路１８を介して出力された検波信号ＳＧを受けて、その検波信号ＳＧが予め設定された判定条件に応じて不正電波か否かを判定する判定手段である。判定手段１６は、後述する不正電波特有の特性を利用して不正電波かどうかを判定する。なお、本実施形態では説明のために、遊技機に対する不正電波ではないその他の電波、例えば、タクシーやトラックの無線電波、携帯電話機の電波、遊技機内のモータのノイズ等の日常生活や経済活動で生じる電波や、雷等の自然に生じる電波等を正常電波ということとする。
【００１７】
本実施形態では、判定手段１６は、図２に示すように、例えば、増幅回路１８からの検波信号ＳＧが入力される入力部２０と、入力部から入力された検波信号ＳＧのレベルと上下２つの閾値ＵＴ、ＬＴとを比較する閾値比較部２１と、時間を計測する計時部２２と、検波信号のハイレベル部分とローレベル部分とが繰返される数を計測する周波数計測部２４と、比較判定部２６と、比較判定部２６の判定結果を出力する出力部２８と、を有する。判定手段１６は、例えば、中央演算処理装置（ＣＰＵ）を有し、予め設定されたプログラムに沿って検波信号の判定を行うマイコン（マイクロコンピュータ）で実現される。
【００１８】
閾値比較部２１は、検波信号ＳＧのレベルと、予め設定されて設定記憶部に記憶されている上閾値ＵＴ及び下閾値ＬＴと、を常時比較しており、検波信号のレベルが上閾値ＵＴよりも高い際にハイレベルとし、下閾値ＬＴよりも低い際にハイレベルと判定する。
【００１９】
計時部２２は、判定手段１６において、種々の時間を計時する計時手段である。本実施形態では、計時部２２は、検波信号ＳＧの各ハイレベル部分ＨＬの時間幅Ｔ１、すなわち、検波信号のレベルが上閾値ＵＴよりも高くなっている時間を計測する。計時部２２は、検波信号ＳＧの各ローレベル部分ＬＬの時間幅Ｔ２、すなわち、検波信号のレベルが下閾値ＬＴよりも低くなっている時間を計測する。さらに、計時部２２は、ハイレベル部分ＨＬとローレベル部分ＬＬとが交互に繰り返される判定時間Ｔを計測する。すなわち、計時部２２は、検波信号が入力されてから不正電波を判定するための一定の判定時間Ｔ（例えば、１００ミリ秒間）を計測し、この判定時間Ｔを基準として周波数計測部２４によってハイレベル部分ＨＬとローレベル部分ＬＬとが交互に繰り返される数が計測される。
【００２０】
周波数計測部２４は、計時部２２で計時される判定時間Ｔ内に、検波信号のハイレベル部分ＨＬとローレベル部分ＬＬとが何回繰返したかの繰返し数Ｎを計測し、その繰り返し数Ｎを比較判定部２６にわたす。この実施形態では、検波信号ＳＧが判定時間Ｔ内にハイレベル部分ＨＬとローレベル部分ＬＬとが繰り返した数を検波信号ＳＧの周波数としている。周波数計測部２２は、例えば、検波信号ＳＧのレベルが上閾値ＨＴより高くなってハイレベルとなる際にカウントし、下閾値ＬＴより低くなってローレベルとなる際にカウントし、１つのハイレベル部分と１つのローレベル部分とのセットを１回として判定時間内の繰返し数Ｎをカウントする。なお、周波数計測部２４は、ハイレベル部分の数とローレベル部分ＬＬの数の合計をカウントしてもよい。さらに、周波数計測部２４は、後述するように比較判定部２６でハイレベル部分の時間幅Ｔ１が設定範囲外となった場合、ローレベル部分の時間幅Ｔ２が設定範囲外となった場合には、繰返し数Ｎを０にリセットする。
【００２１】
本実施形態では、比較判定部２６は、例えば、検波信号ＳＧにおいて、ハイレベル部分ＨＬの時間幅Ｔ１と、ローレベル部分ＬＬの時間幅Ｔ２と、判定時間Ｔ内でのハイレベル部分ＨＬとローレベル部分ＬＬの繰返し数Ｎと、をそれぞれ条件と比較して判定する。不正電波は、遊技機の入賞センサや球の計数センサ等のセンサに対応して誤作動させるために人工的に作り出された電波であり、例えば、ある一定時間内に電波の発射と停止が複数回繰り返される。したがって、アンテナ１２で不正電波を受け、検波回路１４から増幅回路１８を介して出力される検波信号ＳＧは、図４に示すように、上閾値ＵＴよりも高いハイレベル部分ＨＬと、下閾値ＬＴよりも低いローレベル部分ＬＬと、がある時間ごとに交互に繰り返された信号パターンとなる。さらに、不正電波の場合の検波信号では、繰り返されるハイレベル部分ＨＬ及びローレベル部分ＬＬのそれぞれが、ある程度の時間幅で続いたパターンとなっている。従って、ハイレベル部分ＨＬの時間幅Ｔ１、ローレベル部分ＬＬの時間幅Ｔ２、判定時間Ｔ内での繰返し数Ｎを予め定めた条件と比較することで、不正電波と正常電波と区別して、確実に精度良く不正電波を検出することができる。
【００２２】
実施形態では、比較判定部２６は、例えば、ハイレベル部分の時間幅Ｔ１が所定の設定範囲内であるかどうかを比較するハイレベル時間比較部３０と、検波信号のローレベル部分の時間幅Ｔ２が所定の設定範囲内であるかどうかを比較するローレベル時間比較部３２と、検波信号のハイレベル部分とローレベル部分の繰り返し数Ｎが所定の基準値以上かどうかを比較する周波数比較部３４と、比較する設定範囲及び繰返し数の基準値を記憶した設定記憶部３６と、を含む。
【００２３】
ハイレベル時間比較部３０は、計時部２２で計測した検波信号のハイレベル部分の時間幅Ｔ１が、第１の設定範囲内（例えば、１０ミリ秒未満（０＜Ｔ１＜１０ｍｓ））であるかどうかを比較し、第１の設定範囲内の場合には不正電波と判定し、第１の設定範囲外の場合には正常電波と判定する。ローレベル時間比較部３２は、計時部２２で計測した検波信号のローレベル部分の時間幅Ｔ２が、第２の設定範囲内（例えば、１０ミリ秒未満（０＜Ｔ２＜１０ｍｓ））であるかどうかを比較し、第２の設定範囲内の場合には不正電波と判定し、第２の設定範囲外の場合には正常電波と判定する。判定比較部２６でのハイレベル時間比較部３０とローレベル時間比較部３２の結果は、それぞれ周波数計測部２４にわたされる。周波数比較部３４は、周波数計測部２４で計測した繰返し数Ｎが、基準値（例えば、判定時間Ｔ内で２５回）以上であるかどうかを比較し、基準値以上の場合には不正電波と判定し、基準値未満の場合には正常電波と判定する。上述のように周波数計測部２４は、検波信号のそれぞれのハイレベル部分ＨＬ、ローレベル部分ＬＬの時間幅Ｔ２が条件を満たしている場合に繰返し数Ｎをカウントしており、それらの時間幅Ｔ１、Ｔ２が条件を満たしていない場合には繰返し数Ｎをリセットすることから、判定比較部２６は、ハイレベル時間比較部３０、ローレベル時間比較部３２、周波数比較部３４の３つ全てで不正電波と判断される場合に、最終的に不正電波と判定している。
【００２４】
設定記憶部３６には、上記の判定条件となる、ハイレベル部分の時間幅Ｔ１と比較される第１の設定範囲、ローレベル部分の時間幅Ｔ２と比較される第２の設定範囲、繰返し数Ｎと比較される基準値、が記憶されている。例えば、図５に示すように、例えば、第１の設定範囲は、１０ミリ秒未満に設定されている。第２の設定範囲は、例えば、１０ミリ秒未満に設定されている。繰返し数の基準値は、例えば、判定時間Ｔである１００ミリ秒以内に２５回の値に設定されている。これらの判定条件は、例えば、複数の異なる種類の不正電波射出機から射出される不正電波のパターンを解析して、それらの複数パターンの不正電波を網羅して検出できるような第１、第２設定範囲や基準値が設定される。例えば、複数種類ある不正電波のパターンを個別に記憶しておき、受信した電波とそれぞれの不正電波のパターンとを比較する構成も考えられる。しかしながら、個別の不正電波と比較する構成では、設計が複雑化し、コストもかかる。それに対し、本実施形態では、上記のように判定条件がある程度の範囲で設定されているので、設計が簡単で低コストで製造できるとともに、高い検出精度を期待できる。なお、第１、第２設定範囲や繰返し数の基準値は任意に設定されるが、第１、第２の設定範囲を短い時間範囲としたり、繰返し数の基準値を小さくしすぎると、雷などの自然界で生じる正常電波を不正電波と誤検出してしまうおそれが高くなる。また、第１、第２の設定範囲を長い時間範囲としたり、繰返し数の基準値を大きくしすぎると、実際には不正電波であっても正常電波として判定するおそれがあり、種々のパターンがある不正電波が検出できにくくなる。新しいパターンの不正電波が出現した場合には、適宜判定条件を変更するようにしてもよい。第１、第２設定範囲は、所定の値未満（以下）としてもよいし、所定の値以上（例えば、１００マイクロ秒）としてもよいし、所定の下限値から上限値までの範囲としてもよい。設定記憶部３０に記憶されるこれらの判定条件は、不正電波検出装置１０の外部から基準値や設定範囲を入力して、変更できるようになっている。
【００２５】
さらに、比較手段１６は、上記の判定条件とは異なる他の判定条件を有し、上記の判定条件と他の判定条件とを併用して判定することとしてもよい。例えば、判定手段１６の比較判定部２６では、ハイレベル部分の時間幅Ｔ１が、第１の設定範囲（例えば、１０ミリ秒未満）とは異なる第３の設定範囲内（例えば、１００ミリ秒以上）となった場合にも、不正電波として判定する。なお、この場合には、繰返し数の判定条件とは無関係に不正電波と判定する。また、例えば、ローレベル部分の時間幅Ｔ２が、第２の設定範囲（例えば、１０ミリ秒未満）とは異なる第４の設定範囲内（例えば、１００ミリ秒以上）となった場合にも、不正電波として判定することとしてもよい。
【００２６】
判定手段１６の出力部２８には、判定手段１６によって不正電波と判定された際に外部に報知する報知手段３８が接続されている。報知手段３８は、例えば、ランプ等の警告灯やブザー等の警報機からなり、判定手段からの不正電波検出信号を受けて作動し点灯又は鳴動する。なお、報知手段３８は、例えば、遊技機又は管理用コンピュータの画面等に警告表示を表示する態様としてもよいし、その他任意の構成でもよい。
【００２７】
次に、図６を参照しつつ本実施形態に係る遊技機の不正電波検出装置１０の作用について説明する。遊技機１００の近傍で電波が生じると、その電波を不正電波検出装置１０のアンテナ１２で受けて検波回路１４で所定の信号を生成し、増幅回路１８で増幅し判定手段１８に出力する（ステップＳ１０）。判定手段１８では、判定時間Ｔを計時する（ステップＳ１２）とともに、検波信号のハイレベル部分とローレベル部分の繰返し数のカウントを開始する。また、検波信号ＳＧのハイレベル部分の時間幅Ｔ１、ローレベル部分の時間幅Ｔ２を計時する。ハイレベル部分からローレベル部分に変わる際に、判定手段１６の判定比較部でハイレベル部分の時間幅Ｔ１が設定範囲（例えば、１０ミリ秒未満）かどうかを比較し（ステップＳ１４）、設定範囲内の場合には不正電波として次のステップＳ１６に進む。なお該時間幅Ｔ１が設定範囲外の場合には正常電波と判定して（ステップＳ２２）、次の電波を感知するまで待機する。次に、ステップＳ１６では、ローレベル部分からハイレベル部分に変わる際に、判定手段１６の判定比較部でローレベル部分の時間幅Ｔ２が設定範囲（例えば、１０ミリ秒未満）かどうかを比較し、設定範囲内の場合には不正電波として、繰返し数Ｎをカウントし、次のステップ２０に進む。なお、該時間幅Ｔ２が設定範囲外の場合には正常電波と判定して（ステップＳ２２）、次の電波を感知するまで待機する。ステップＳ１８では、比較判定部の判定比較部で、設定時間Ｔ内での繰返し数Ｎが基準値以上かどうかを比較する。繰返し数Ｎが基準値未満の場合には、判定時間Ｔ内であれば（ステップＳ２０）、上記のステップに戻って、ステップＳ１４、ステップＳ１６、Ｓ１８を繰り返す。ステップＳ２０で判定時間を経過していれば、正常電波と判定する（ステップＳ２２）。なお、これらのステップＳ１４、Ｓ１６、Ｓ１８を繰り返す途中で、時間幅Ｔ１、Ｔ２のいずれかが設定範囲外となる場合には、正常電波と判定する（ステップＳ２２）とともに、繰返し数Ｎ、判定時間Ｔがリセットされる。一方、ステップＳ１８で、繰返し数Ｎが基準値以上となった場合には、判定手段１６は判定対象となっている受信した電波が不正電波であると判定し、報知手段に不正電波検出信号をわたす。信号を受けた報知手段は、例えば、警告ランプやブザーを作動させて、不正行為が行われていることを報知する。このようにして、不正電波と正常電波と区別して、不正電波のみを確実に検出することができる。また、複数パターンの不正電波に対応して精度良く検出できる。なお、図示していないが、ステップＳ１４で、検波信号のハイレベル部分の時間幅が第１の設定範囲外の場合に、第３の設定範囲と比較し、第３の設定範囲内（例えば、１００ミリ秒以上）となる場合にも不正電波として検出するようにしてもよい。また、同様に、ステップＳ１６で、検波信号のローレベル部分の時間幅Ｔ２が第２の設定範囲外の場合に、第４の設定範囲と比較し、第４の設定範囲内（例えば、１００ミリ秒以上）となる場合にも不正電波として検出するようにしてもよい。また、例えば、判定手段は、検波信号のハイレベル部分とローレベル部分の繰返し数が基準値以上か否かの比較だけで、不正電波か否かを判定するようにしてもよい。
【００２８】
以上説明した本発明の遊技機の不正電波検出装置は、上記した実施形態のみの構成に限定されるものではなく、特許請求の範囲に記載した本発明の本質を逸脱しない範囲において、任意の改変を行ってもよい。
【産業上の利用可能性】
【００２９】
本発明の遊技機の不正電波検出装置は、例えば、パチンコ機、メダルスロット機等の種々の遊技機に取り付けて適用できる。
【符号の説明】
【００３０】
１０    遊技機の不正電波検出装置
１２    アンテナ
１４    検波装置
１６    判定手段
２２    計時部
２４    周波数計測部
２６    比較判定部
ＳＧ    検波信号
ＨＬ    ハイレベル部分
ＬＬ    ローレベル部分
Ｔ１    ハイレベル部分の時間幅
Ｔ２    ローレベル部分の時間幅
Ｔ      判定時間
ＵＴ    上閾値
ＬＴ    下閾値
【図１】
2014012056.tif 000003
【図２】
2014012056.tif 000004
【図３】
2014012056.tif 000005
【図４】
2014012056.tif 000006
【図５】
2014012056.tif 000007
【図６】
2014012056.tif 000008